(57)【要約】      （修正有）【課題】  組立の際にビス等の留め具を不要とすることができ、しかも、搬送の際にはコンパクトにすることができる折り畳み自在の棚を提供する。【解決手段】  支持部材２，３，４に棚板５を回動自在に支持できるようにし、対向する支持部材２，３，４間に棚板５を上下方向に複数設け、対向する支持部材２，３，４が対向する支持部材間が棚板５の回動に伴って離間できるようにしたことを特徴とする。対向する支持部材２，３，４は、少なくとも３本で構成され、前記支持部材間に背板８を設け、背板８を棚板５の回動に伴って折り畳みできるようにした折り畳み自在の棚。【選択図】  図１
2006198039.tif 000002
【特許請求の範囲】
【請求項１】
支持部材に棚板を回動自在に支持できるようにしたことを特徴とする折り畳み自在の棚。
【請求項２】
対向する支持部材間に棚板を回動自在に支持できるようにしたことを特徴とする折り畳み自在の棚。
【請求項３】
前記対向する支持部材間に、前記棚板を上下方向に所定の間隔をおいて複数設け、前記対向する一方の支持部材に対して、他方の支持部材を前記棚板の回動に伴って離間できるようにしたことを特徴とする請求項２に記載の折り畳み自在の棚。
【請求項４】
前記対向する支持部材は、少なくとも３本の支持部材から構成され、両側に位置する前記支持部材間に背板を設け、前記背板を、前記棚板の回動に伴って折り畳みできるようにしたことを特徴とする請求項３に記載の折り畳み自在の棚。
【請求項５】
前記一方の支持部材と、前記他方の支持部材とは、スライダリンク機構により連結されることを特徴とする請求項３又は４に記載の折り畳み自在の棚。
【請求項６】
前記棚板の支持される側の端部の角部を丸く形成したことを特徴とする請求項１乃至５のいずれかに記載の折り畳み自在の棚。
【発明の詳細な説明】
【技術分野】
【０００１】
本発明は、折り畳み自在の棚に関する。
【背景技術】
【０００２】
従来、組み立てることができる棚は、搬送の際の容積が少なくなるように分解した状態で梱包され販売されている。
しかしながら、梱包から出して組み立てようとすると、ビス等の留め具の点数が多く、説明書を見ながら組み立てる必要があり、煩雑であった。また、引っ越しの際には、分解して更に組み立てる作業が発生することがあり、ビス等の留め具を紛失してしまうことがあった。
【発明の開示】
【発明が解決しようとする課題】
【０００３】
そこで、本発明は、組立の際にビス等の留め具を不要とすることができ、しかも、搬送の際にはコンパクトにすることができる折り畳み自在の棚を提供することを目的とする。
【課題を解決するための手段】
【０００４】
上記課題を解決すべく、本発明者等は鋭意検討の結果次の通り解決手段を見いだした。
即ち、本発明の折り畳み自在の棚は、請求項１に記載の通り、支持部材に棚板を回動自在に支持できるようにしたことを特徴とする。
また、本発明の折り畳み自在の棚は、請求項２に記載の通り、対向する支持部材間に棚板を回動自在に支持できるようにしたことを特徴とする。
また、請求項３に記載の本発明は、請求項２に記載の折り畳み自在の棚において、前記対向する支持部材間に、前記棚板を上下方向に所定の間隔をおいて複数設け、前記対向する一方の支持部材に対して、他方の支持部材を前記棚板の回動に伴って離間できるようにしたことを特徴とする。
また、請求項４に記載の本発明は、請求項３に記載の折り畳み自在の棚において、前記対向する支持部材は、少なくとも３本の支持部材から構成され、両側に位置する前記支持部材間に背板を設け、前記背板を、前記棚板の回動に伴って折り畳みできるようにしたことを特徴とする。
また、請求項５に記載の本発明は、請求項３又は４に記載の折り畳み自在の棚において、前記一方の支持部材と、前記他方の支持部材とは、スライダリンク機構により連結されることを特徴とする。
また、請求項６に記載の本発明は、請求項１乃至５のいずれかに記載の折り畳み自在の棚において、前記棚板の支持される側の端部の角部を丸く形成したことを特徴とする。
【発明を実施するための最良の形態】
【０００５】
次に、本発明を実施するための最良の形態について図面を参照して説明する。
図１は、本発明の一実施の形態の折り畳み自在の棚１の組立状態を示す図（（ａ）正面図（ｂ）側面図（ｃ）平面図）、図２は、同折り畳み状態を示す図（（ａ）正面図（ｂ）側面図（ｃ）平面図）である。図３は、同折り畳み状態から組立状態となる中間を示す図（（ａ）正面図（ｂ）平面図）である。
図中符号２で示される中央の支持部材は、平板状に形成され、本実施の形態では、棚の列を区画する役割も有するものである。図１（ａ）の正面図に示されるように、中央の支持部材２の両側には、それぞれ、同様に平板状に形成された他の支持部材３，４を所定の間隔で対向して設け、隣接する支持部材２と３、２と４間には、上下方向に所定の間隔で５枚の棚板５を設けている。
中央の支持部材２の側面には、棚板５を回動自在に支持するための軸受け６を設け、各棚板５の端部５ａに正面側から背面側に向かって設けられた回転軸７を軸支している。
上記構成により、図２に示される折り畳み状態から、各棚板５を中央の支持部材２に対して横方向に開くようにして回動することにより、図３に示される状態を介して、図１に示されるように組み立てることができる。従って、中央の支持部材２と棚板５とを留め具により固定する必要がなく、容易に組立・折り畳みができる。尚、棚板２を、横方向へ回動させた後は、棚板がその位置に固定できるように、軸受け６及び／又は回転軸７に係止機構等を設けるようにしてもよい。
【０００６】
上記各棚板５の中央の支持部材２とは反対側の端部５ｂを、他の支持部材３，４に固定する方法としては、例えば、棚板５の前記端部５ｂに、凸状のピンを立設しておいて、両側の他の支持部材３，４に係合用の溝を設けて、この溝にピンを係合することにより固定したり、或いは、ビス等の留め具により固定したりすることができるが、本実施の形態では、棚板５の反対側の端部５ｂも、他の支持部材３，４に対して回動自在となるように支持するようにしている。これにより、棚板５を回動して横方向に開く際に、他の支持部材３，４が中央の支持部材２から離間させることができ、しかも、両側の他の支持部材３，４に棚板５を固定する必要がなくなる。
【０００７】
上記棚板５は、一枚であっても、上記したように支持部材３，４と棚板５の組立・折り畳みを容易にすることができるものであるが、本実施の形態では、複数の棚板５を支持部材２，３，４間に支持するようにしている。各棚板５を回動して横方向に開いた際に、両側の支持部材３，４が連鎖して横方向へ移動するので、棚板５が一枚の時に比べて、更に、組立作業を容易にすることができる。
【０００８】
本実施の形態では、更に、図１（ｃ）に示すように、折り畳み自在の棚１の背面に、平板形状の背板８を設けるようにしている。そして、この背板８も組立の際に、棚板５の横方向への回動に伴って折り畳むことができるようにしている。具体的には、図２（ｃ）に示すように、背板８を左右に分割して、蝶番９を介して接合し、また、背板８と両側の支持部材３，４とを、同様に蝶番１０を介して接合している。
このように構成することにより、組立時に背板６をビス等により固定する必要がなくなり、また、折り畳み時には、この背板６の中央部を背面側に引っ張るようにすれば、背板６の折り畳みに伴って両側の支持部材３，４が中央の支持部材２側に移動し、連動して各棚板５が折り畳まれることになる。また、組立又は折り畳み作業時において、背板６は、前記のようにくの字状となるので、支持部材２，３，４や棚板５の荷重を支えやすくなり、作業時に力をかけて支える必要がないため、組立作業が容易になる。
【０００９】
また、本実施の形態では、各棚板５の端部５ａ，５ｂの角部を、図４（ａ）及び（ｂ）に示されるように丸く形成している。これにより、各棚板５が回動する際に、端部５ａ，５ｂが支持部材２，３，４にぶつかるようなことがなくなる。
【００１０】
次に、本発明の他の実施の形態について説明する。
図５は、本実施の形態の折り畳み自在の棚１０の組立状態を示す図（（ａ）正面図（ｂ）側面図（ｃ）平面図）、図６は、同折り畳み状態を示す図（（ａ）正面図（ｂ）側面図（ｃ）平面図）である。図７は、同折り畳み状態から組立状態となる中間を示す正面図である。
図５（ａ）に示されるように、中央部の支持部材１１と、両側の支持部材１２，１３との間に、それぞれ、上下方向に所定の間隔で３枚の棚板１４を設けている。尚、本実施の形態では、支持部材１２，１３，１４は、それぞれ、同図（ｂ）に示すように、折り畳み自在の棚１０の正面側と背面側に対向して配置し、それぞれ１対で支持部材１２，１３，１４を構成している。
中央部の支持部材１１の両側には、棚板１５を支持するための軸受け１６を設け、各棚板１５の両端部１５ａ，１５ｂには、それぞれ、正面側から背面側に向かって回転軸１７を設け、軸受け１６に回転自在に支持するようにしている。
また、中央部の支持部材１２から両側の支持部材１３，１４に向かってリンク１８を設け、更に、リンク１８の先端部に上下方向の移動可能なスライダ１９を設けている。
【００１１】
上記構成により、図６に示される折り畳み状態から、各棚板１５を回動させて横方向に広げることにより、図７に示される状態を介して、図４に示されるように組み立てることができる。また、リンク１８とスライダ１９とが、中央の支持部材１２に対して、両側の支持部材１３，１４の横方向への移動を規制するので、組立・折り畳みの際にバランスを崩すことがない。
【００１２】
また、本実施の形態でも、先に説明した実施の形態と同様に、図５に示すように、各棚板１５の端部１５ａを丸く形成したので、各棚板１５が回動する際に、端部１５ａが支持部材１２にぶつかるようなことがない。
【図面の簡単な説明】
【００１３】
【図１】本発明の一実施の形態の折り畳み自在の棚の組立状態を説明するための図（（ａ）正面図（ｂ）側面図（ｃ）平面図）
【図２】同実施の形態の折り畳み状態を説明するための図（（ａ）正面図（ｂ）側面図（ｃ）平面図）
【図３】同実施の形態の折り畳み状態から組立状態となる中間を示す図（（ａ）正面図（ｂ）平面図）
【図４】同実施の形態の棚板の端部の説明図（（ａ）後方斜視図（ｂ）前方斜視図）
【図５】本発明の他の実施の形態の折り畳み自在の棚の組立状態を説明するための図（（ａ）正面図（ｂ）側面図（ｃ）平面図）
【図６】同実施の形態の折り畳み状態を説明するための図（（ａ）正面図（ｂ）側面図（ｃ）平面図）
【図７】同実施の形態の折り畳み状態から組立状態となる中間を示す正面図
【符号の説明】
【００１４】
１    折り畳み自在の棚
２    中央の支持部材
３    両側の支持部材
４    両側の支持部材
５    棚板
６    軸受け
７    回転軸
８    背板
９    蝶番
１０    蝶番
１１    折り畳み自在の棚
１２    中央の支持部材
１３    両側の支持部材
１４    両側の支持部材
１５    棚板
１６    軸受け
１７    回転軸
１８    リンク
１９    スライダ
【図１】
2006198039.tif 000003
【図２】
2006198039.tif 000004
【図３】
2006198039.tif 000005
【図４】
2006198039.tif 000006
【図５】
2006198039.tif 000007
【図６】
2006198039.tif 000008
【図７】
2006198039.tif 000009